(57)【要約】燃料噴射弁（１）、特に内燃機関の燃料噴射装置のための燃料噴射弁（１）は、第１の可動子（３）と協働する第１の磁石コイル（２）と、第２の可動子（５）と協働する第２の磁石コイル（４）と、第１の可動子（３）と第１のフランジ（１２）を介して、かつ第２の可動子（５）と第２のフランジ（１３）を介して、摩擦接続で結合されている弁ニードル（１４）とを備えており、この弁ニードルは弁閉鎖体を操作するためのものである。弁ニードル（１４）は戻しばね（１７）によって燃料噴射弁（１）の閉鎖方向に負荷されている。第１のフランジ（１２）と第１の可動子（３）との間に配置されている第１の位置決めばね（１５）は第１の可動子（３）を燃料噴射弁（１）の閉鎖方向に負荷しているのに対し、第２のフランジ（１３）と第２の可動子（５）との間に配置されている第２の位置決めばね（１６）は第２の可動子（５）を燃料噴射弁（１）の開放方向に負荷している。
2004522070.tif 000002
【特許請求の範囲】
【請求項１】
燃料噴射弁（１）、特に内燃機関の燃料噴射装置のための燃料噴射弁（１）であって、第１の可動子（３）と協働する第１の磁石コイル（２）と、第２の可動子（５）と協働する第２の磁石コイル（４）と、第１のフランジ（１２）を介して第１の可動子（３）と摩擦接続で結合し、かつ第２のフランジ（１３）を介して第２の可動子（５）と摩擦接続で結合している弁ニードル（１４）とを備え、該弁ニードルは、戻しばね（１７）によって燃料噴射弁（１）の閉鎖方向に負荷されていて、弁閉鎖体を操作するようになっている形式のものにおいて、
第１のフランジ（１２）と第１の可動子（３）との間に配置されている第１の位置決めばね（１５）が、第１の可動子（３）を燃料噴射弁（１）の閉鎖方向で負荷しており、第２のフランジ（１３）と第２の可動子（５）との間に配置されている第２の位置決めばね（１６）が第２の可動子（５）を燃料噴射弁（１）の開放方向に負荷していることを特徴とする、燃料噴射弁。
【請求項２】
位置決めばね（１５；１６）が、弁ニードル（１４）を閉鎖方向に負荷している戻しばね（１７）のばね定数よりも著しく小さいばね定数を有していることを特徴とする、請求項１記載の燃料噴射弁。
【請求項３】
第１のフランジ（１２）と第１の可動子（３）との間に第１の可動子自由路（２３）が構成されていることを特徴とする、請求項１又は２記載の燃料噴射弁。
【請求項４】
第１の可動子自由路（２３）が、第１の可動子（３）と第１のコア部分（８）との間に構成されている第１の作業ギャップ（１８）よりも小さいことを特徴とする、請求項３記載の燃料噴射弁。
【請求項５】
第２のフランジ（１３）と第２の可動子（５）との間に第２の可動子自由路（２４）が構成されていることを特徴とする、請求項１から４までのいずれか１項に記載の燃料噴射弁。
【請求項６】
第２の可動子自由路（２４）が、第２の可動子（３）と第２のコア部分（９）との間に構成されている第２の作業ギャップ（１９）よりも小さいことを特徴とする、請求項５記載の燃料噴射弁。
【請求項７】
第１及び第２の可動子自由路（２３；２４）がほぼ５０μｍであるのに対し、第１及び第２の作業ギャップ（１８；１９）の幅がほぼ１１０μｍであることを特徴とする、請求項１から６までのいずれか１項に記載の燃料噴射弁。
【請求項８】
フランジ（１２；１３）が弁ニードル（１４）と摩擦接続で結合されていることを特徴とする、請求項１から７までのいずれか１項に記載の燃料噴射弁。
【請求項９】
磁石コイル（２；４）によって形成される磁界が逆向きの方向に作用することを特徴とする、請求項１から８までのいずれか１項に記載の燃料噴射弁。
【請求項１０】
第１の可動子（３）と第２の可動子（５）との間に、ストッパリング（１１）が配置されていて、これは磁化不能の材料から成っていることを特徴とする、請求項１から９までのいずれか１項に記載の燃料噴射弁。
【発明の詳細な説明】
【０００１】
背景技術
本発明は、主請求項の上位概念による燃料噴射弁に関する。
【０００２】
燃料噴射弁の閉鎖時間は、一面では可動子とコアとの間の付着力によって、かつ他面では渦流によって、延長せしめられる。遅れを減少させるために、例えば、可動子を負荷する戻しばねをより強く構成することが公知である。燃料噴射弁の開放時間が戻しばねの高められた戻し力の影響を受けないようにするためには、より強い磁石回路を開発しなければならず、この磁石回路は、磁石コイルのより大きな寸法、より高い供給電圧、より高い巻数及びより高価な磁石材料で運転しなければならない。
【０００３】
更に、燃料噴射弁を励起する電流パルスの終了の際に、電流を逆の方向で磁石コイルを通して流し、これにより残留磁界の減少を加速することが公知である。相応する制御エレメントの構成はしかしながら高価であり、かつ単に閉鎖時間のわずかな短縮を生ぜしめるに過ぎない。
【０００４】
別の可能性は、１つの磁界を燃料噴射弁を開くために、かつ第２の磁界を燃料噴射弁をその開かれた位置に保つために、構成することである。保持磁界の強さはこの場合小さく選んで、渦流が保持磁界の遮断の後に小さくかつこれによって閉鎖時間を短縮し得るようにする。
【０００５】
ドイツ連邦共和国特許第２３０６００７号明細書から、燃料を内燃機関内に噴射するための、電磁的に操作可能な燃料噴射弁が公知であり、この場合磁石コイルは３つの巻き線を有しており、これらの巻き線は３つの別個の切り替え回路により制御される。この場合、第１の切り替え回路は燃料噴射弁を迅速に開くために役立ち、第２の切り替え回路は燃料噴射弁を開放保持するために役立ち、かつ第３の切り替え回路は残留磁界を解消する対抗磁界を生ぜしめて、燃料噴射弁を迅速に閉じるために役立つ。
【０００６】
ドイツ連邦共和国特許第２３０６００７号明細書から公知の燃料噴射弁において欠点であることは、特に磁石コイルの３つの巻き線を制御する３つの切り替え回路を備えた配置の製作費が高価なことである。切り替え回路によって高められた所要スペースも欠点である。閉鎖方向に向いた磁気的な力成分による能動的な戻しは行われない。
【０００７】
本発明の利点
主請求項の特徴を備えた本発明による燃料噴射弁はこれに対し次のような利点を有している。すなわち、複コイル構想と、その都度１つの前行程及び位置決めばねによって磁石コイル当たり迅速な開放過程及び能動的なひいては加速された閉鎖過程を可能にする可動子自由路原理との組み合わせによって、わずかな磁石回路の制御出力及び高い切り替え動力学を備えた燃料噴射弁を実現し得ることである。
【０００８】
従属請求項に記載された手段によって、主請求項に記載された燃料噴射弁の有利な展開及び改善が可能である。
【０００９】
位置決めばねのばね定数が、戻しばねのばね定数よりも小さくて、これによって戻しばねの補強が不要であることも、有利である。
【００１０】
弱い位置決めばねと結合して、２つの、弁ニードルと摩擦接続（摩擦による束縛）で結合されたフランジを使用することによって、機械的に簡単なかつ安価に製作可能な可動子自由路システムを実現することができる。
【００１１】
可動子自由路はこの場合有利な形式でほぼ、磁石回路の可動子の全体の行程の半分であり、これによって可動子は適合した時間的な調和によって振動する中央位置に保たれ、これから高い切り替え動力学が結果する。
【００１２】
実施例の説明
本発明の１実施例は図面に簡略化して示されており、以下において詳細に説明する。
【００１３】
図１は、燃料噴射弁１の中央の部分を部分的な断面図で示す。燃料噴射弁１は特に、燃料を混合気圧縮火花点火式の内燃機関の図示していない燃焼室内に直接に噴射するのに適している。燃料噴射弁１はこの場合内方に向かってあるいは外方に向かって開く燃料噴射弁１として構成しておくことができる。図１に示した実施例では、内方に向かって開く燃料噴射弁１である。
【００１４】
燃料噴射弁１は第１の可動子３と協働する第１の磁石コイル２と、第２の可動子４と協働する第２の磁石コイル４とを有している。第１の磁石コイル２は第１のコイル支持体６上に、かつ第２の磁石コイル４は第２のコイル支持体７上に、巻かれている。第１の磁石コイル２は第１のコア部分８を取り囲んでいるのに対し、第２の磁石コイル４は第２のコア部分９を取り囲んでいる。第１の磁石コイル２と第２の磁石コイル４とは軸方向でウェブ１０によって互いに隔てられている。第１の可動子３と第２の可動子５とは、第１のコア部分８と第２のコア部分９との間に配置されていて、かつストッパリング１１によって互いに隔てられている。ストッパリング１１は磁気回路を磁気的に分離するために磁化不能の材料から製作されている。
【００１５】
弁ニードル１４は第１のコア部分８，第２のコア部分９並びに両方の可動子３及び５を通って延びている。第１の可動子３は弁ニードル１４と第１のフランジ１２を介して作用結合しており、これに対し第２の可動子５は第２のフランジ１３を介して弁ニードル１４と作用結合している。フランジ１２及び１３はこの場合、弁ニードル１４と溶接しておくことができ、あるいは弁ニードル上にプレスばめしておくことができる。第１のフランジ１２と第１の可動子３との間には第１の位置決めばね１５が締め込まれており、これは第１の可動子３を閉鎖方向に負荷している。同様に、第２のフランジ１３と第２の可動子５との間には第２の位置決めばね１６が設けられており、これは第２の可動子５を燃料噴射弁１の開放方向に負荷している。
【００１６】
燃料噴射弁１が閉じられた状態において、位置決めばね１５及び１６によって、第１の可動子３と第１のコア部分８との間に第１の作業ギャップ１８が構成されているのに対し、第２の可動子５と第２のコア部分９との間には第２の作業ギャップ１９がある。可動子３及び５はストッパリング１１に接触している。第１のフランジ１２と第１の可動子３との間には第１の可動子自由路２３が、かつ第２のフランジ１３と第２の可動子５との間には第２の可動子自由路２４が構成されている。
【００１７】
弁ニードル１４には、供給方向で戻しばね１７が支えられており、この戻しばねは弁ニードル１４を負荷していて、弁ニードル１４と作用結合している図示していない弁閉鎖体がシール座にシール接触し、これにより燃料噴射弁１が閉じられた状態に保たれる。戻しばね１７のばね定数はこの場合極めて著しく位置決めばね１５及び１６のばね定数よりも大きい。
【００１８】
燃料噴射弁１は更にノズル体２０を有しており、これは磁石回路の外極２１を貫通している。燃料は中央で供給され、かつ中央の燃料噴射弁１の切り欠き部２２を通って並びに管形の弁ニードル１４を通ってシール座に導かれる。
【００１９】
燃料噴射弁１の機能形式及び動力学並びに本発明による手段の詳細な説明は図２及び３Ａ〜３Ｂ並びに以下の説明から知ることができる。
【００２０】
図２は、作業ギャップ１８及び１９並びに可動子自由路２３及び２４を明らかにするために、本発明による燃料噴射弁１の図１に示した実施例の著しく概略的な細部を部分的な断面図で示す。図面には、単に作用形式の説明に必要な燃料噴射弁１の部分だけが示されている。この場合既に説明した構造部分には合致する符号が付けられている。磁石コイル２及び４並びに可動子３及び５の機能形式についての以下の説明は、分かりよくするために、本発明による燃料噴射弁１の図１に示した実施例の可動子行程及び弁ニードル行程の時間的な経過並びに開放過程及び閉鎖過程の切り替え位相を示す図３Ａ及び３Ｂと一緒に観察されたい。
【００２１】
燃料噴射弁１が閉じられている場合に、図２において「開」と記されている第１の磁石コイル２の通電が開始されると、図３Ｂにおいて「電流開」と記されている第１の磁石コイル２を励磁する電流が、保持電流強さに増大する。充分な磁力から、第１の可動子３は第１のコア部分により引き付けられ、かつ開放方向に動かされる。弁ニードル１４は、戻しばね１７の戻し力並びに第１のフランジ１２と第１の可動子３との間に構成されている可動子自由路２３によって、なおその出発位置にとどまる。その間に、第１の可動子３は、図２及び図３Ａにおいてｈ１で示した行程だけ弁ニードル１４に沿って開放方向に動いている。第１の行程ｈ１はこの場合、第１の可動子３と第１のコア部分８との間に構成されている第１の作業ギャップ１８よりも小さい。第１の可動子３が第１のフランジ１２上に打ち当たった後に、弁ニードル１４はこれと摩擦接続で結合されている第１のフランジ１２を介して、開放方向に連行され、これによって、第１の作業ギャップ１８が完全に閉じられ、かつ第１の可動子３が第１のコア部分９に打ち当たる。
【００２２】
本発明により構成された燃料噴射弁１の典型的な実施例では、作業ギャップ１８及び１９の全幅は例えば約１１０μｍであり、そのうちの約５０μｍが前行程ｈ１若しくはｈ２に割り当てられている。
【００２３】
弁ニードル１４の運動の開始をもって、燃料の図示していない内燃機関の燃焼室内への噴射が開始される。
【００２４】
既に第１の磁石コイル２の通電の間に、第２の磁石コイル４も通電される。この場合磁界は、第２の可動子５が既に燃料噴射弁１の閉鎖位置に動かされるように構成される。図２において「閉」で示した第２の可動子５はこの場合図２及び３Ａにおいてｈ２で示した第２の行程を通過している。その後、第２の可動子５は第２のフランジ１３上に当たる。第２の可動子５の前行程位相の間に、第１の磁石コイル２を励磁する電流は遮断される。これによって弁ニードル１４は第１の可動子３から解放される。第２の可動子５が第２のフランジ１３上に当たった後に、弁ニードル１４のために閉鎖過程が開始され、このことは戻しばね１７の力によって助長される。
【００２５】
第１の可動子３はその間に第１の位置決めばね１５の力によって既にその出発位置に戻されており、そこで第１の可動子は次の開放サイクルまでとどまる。第２の磁石コイル４の遮断の後に、第２の位置決めばね１６は第２の可動子５をやはりその出発位置に戻すことができる。
【００２６】
図３Ａから認められるように、第１及び第２の行程ｈ１及びｈ２のその都度の通過の後に、可動子３及び５は振動するフロート状態に保たれ、これによって弁ニードル１４の前加速を燃料噴射弁１の開放若しくは閉鎖の際になくすことができる。
【００２７】
図３Ｂに示した両方の磁石コイル２及び４の同時の通電は時間的に互いに調和させることができ、閉鎖過程が既に開始され、これに対し、開放過程はまだ終了していないようにすることができる。
【００２８】
前述の手段によって要するに、複コイル構想及び可動子自由路原理の結合により、迅速に閉じかつ迅速に開く燃料噴射弁１を実現することができ、これは、第２の可動子５の能動的な閉鎖パルスによって有利にされる衝撃に無関係な閉鎖過程を備えた改善された動力学を、低い供給電圧及び減少せしめられた戻しばね１７のばね力と組み合わせる。
【００２９】
本発明は図示の実施例に限定されるものではなく、燃料噴射弁１の任意の構造形式のために、特に、外方に向かって開く燃料噴射弁１のためにも、適している。
【図面の簡単な説明】
【図１】
本発明による燃料噴射弁を部分的な断面図で示す。
【図２】
図１に示した本発明による燃料噴射弁の、図１の範囲ＩＩにおける著しく概略的な区分を示す。
【図３Ａ】
本発明による燃料噴射弁の、図１に示した実施例の可動子行程及び弁ニードル行程の時間的な経過の線図を示す。
【図３Ｂ】
本発明による燃料噴射弁の、図１に示した実施例の切り替え位相の線図を示す。
【符号の説明】
１  燃料噴射弁、  ２  第１の磁石コイル、  ３  第１の可動子、  ４  第２の磁石コイル、  ５  第２の可動子、  ６  第１のコイル支持体、  ７  第２のコイル支持体、  ８  第１のコア部分、  ９  第２のコア部分、  １０  ウェブ、  １１  ストッパリング、  １２  第１のフランジ、  １３  第２のフランジ、  １４  弁ニードル、  １５  第１の位置決めばね、  １６  第２の位置決めばね、  １７  戻しばね、  １８  第１の作業ギャップ、  １９  第２の作業ギャップ、  ２０  ノズル体、  ２１  外極、  ２２  切り欠き部、  ２３  第１の可動子自由路、  ２４  第２の可動子自由路、  ｈ１  第１の行程、  ｈ２  第２の行程
【図２】
2004522070.tif 000003
【図３Ａ】
2004522070.tif 000004
【図３Ｂ】
2004522070.tif 000005
【国際公開パンフレット】
2004522070.tif 000006
2004522070.tif 000007
2004522070.tif 000008
2004522070.tif 000009
2004522070.tif 000010
2004522070.tif 000011
2004522070.tif 000012
2004522070.tif 000013
2004522070.tif 000014
2004522070.tif 000015
2004522070.tif 000016
2004522070.tif 000017
2004522070.tif 000018
2004522070.tif 000019
2004522070.tif 000020
2004522070.tif 000021
【国際調査報告】
2004522070.tif 000022
2004522070.tif 000023
2004522070.tif 000024
2004522070.tif 000025
2004522070.tif 000026
2004522070.tif 000027